(57)【要約】本発明は、ＩＰネットワーク上のＩＰリンクの接続性状態を自動的に確認する方法のための方法およびシステムを提供する。ＩＰネットワーク上のＩＰリンクの接続性状態を自動的に確認するための方法は、動的な自動ｐｉｎｇ速度でＩＰリンクを通じてＰｉｎｇ要求を自動的に送信することを含む。
2010538551.tif 000002
【特許請求の範囲】
【請求項１】
ＩＰネットワーク上のＩＰリンクの接続性状態を自動的に確認する方法であって、
動的な自動ｐｉｎｇ速度で前記ＩＰリンクを通じてＰｉｎｇ要求を自動的に送信するステップを含む方法。
【請求項２】
動的な自動ｐｉｎｇ速度で前記ＩＰリンクを通じてＰｉｎｇ要求を自動的に送信する前記ステップの前に、
前記動的な自動ｐｉｎｇ速度を設定するステップをさらに含む、請求項１に記載の方法。
【請求項３】
前記動的な自動ｐｉｎｇ速度を設定する前記ステップが、
前記ＩＰリンクのリンク・ダウンの可能性の統計値によって前記動的な自動ｐｉｎｇ速度を設定するステップをさらに含む、請求項２に記載の方法。
【請求項４】
前記ＩＰリンクのリンク・ダウンの可能性の統計値によって前記動的な自動ｐｉｎｇ速度を設定する前記ステップが、
前記ＩＰリンクのリンク・ダウンの可能性の前記統計値によって、前記ＩＰリンクのリンク・ダウンの前記可能性が高い期間に対して、より高い自動ｐｉｎｇ速度を設定するステップと、
前記ＩＰリンクのリンク・ダウンの可能性の前記統計値によって、前記ＩＰリンクのリンク・ダウンの前記可能性が低い期間に対して、より低い自動ｐｉｎｇ速度を設定するステップとをさらに含む、請求項３に記載の方法。
【請求項５】
前記ＩＰリンクのリンク・ダウンの前記可能性が高い期間は、１日のうちで前記ＩＰネットワークが盛んに使用される期間であり、前記ＩＰリンクのリンク・ダウンの前記可能性が低い期間は、１日のうちで前記ＩＰネットワークがあまり使用されない期間である、請求項４に記載の方法。
【請求項６】
Ｐｉｎｇ要求の以前の送信に基づいて、前記ＩＰリンクの現在の接続性状態を判定するステップをさらに含む、請求項２または３に記載の方法。
【請求項７】
前記動的な自動ｐｉｎｇ速度を設定する前記ステップが、
前記ＩＰリンクの現在の接続性状態によって前記動的な自動ｐｉｎｇ速度を設定するステップをさらに含む、請求項６に記載の方法。
【請求項８】
前記ＩＰリンクの現在の接続性状態によって前記動的な自動ｐｉｎｇ速度を設定する前記ステップが、
前記ＩＰリンクがダウンしている期間に対して、より高い自動ｐｉｎｇ速度を設定するステップと、
前記ＩＰリンクが通常に動作している期間に対して、より低い自動ｐｉｎｇ速度を設定するステップとをさらに含む、請求項７に記載の方法。
【請求項９】
動的な自動ｐｉｎｇ速度で前記ＩＰリンクを通じてＰｉｎｇ要求を自動的に送信する前記ステップの前に、
前記動的な自動ｐｉｎｇ速度で前記ＩＰリンクに特有のＰｉｎｇ要求を自動的に作成するステップをさらに含む、請求項１に記載の方法。
【請求項１０】
Ｐｉｎｇ要求を作成し、それを動的な自動ｐｉｎｇ速度でＩＰリンクを通じて自動的に送信するように構成されたＰｉｎｇ要求送信ユニットを備える、ＩＰネットワーク上のＩＰリンクの接続性状態を自動的に確認するシステム。
【請求項１１】
前記動的な自動ｐｉｎｇ速度を設定するように構成されたｐｉｎｇ速度設定ユニットをさらに備える、請求項１０に記載のシステム。
【請求項１２】
前記ｐｉｎｇ速度設定ユニットはさらに、前記ＩＰリンクのリンク・ダウンの可能性の統計値によって、前記ＩＰリンクのリンク・ダウンの前記可能性が高い期間に対しては、より高い自動ｐｉｎｇ速度を設定し、前記ＩＰリンクのリンク・ダウンの前記可能性が低い期間に対しては、より低い自動ｐｉｎｇ速度を設定する、請求項１１に記載のシステム。
【請求項１３】
以前に前記Ｐｉｎｇ要求送信ユニットによって前記ＩＰリンクの遠端から送信されたＰｉｎｇ要求に対する応答を受信し、Ｐｉｎｇ要求の以前の送信に基づいて前記ＩＰリンクの現在の接続性状態を判定するように構成された現接続性状態判定ユニットをさらに備える、請求項１１または１２に記載のシステム。
【請求項１４】
前記ｐｉｎｇ速度設定ユニットはさらに、前記現接続性状態判定ユニットによって判定された前記現在の接続性状態によって、前記ＩＰリンクがダウンしている期間に対しては、より高い自動ｐｉｎｇ速度を設定し、前記ＩＰリンクが通常に動作している期間に対しては、より低い自動ｐｉｎｇ速度を設定する、請求項１３に記載のシステム。
【発明の詳細な説明】
【技術分野】
【０００１】
本発明はネットワーキング技術に関し、より詳細には、ＩＰネットワーク上のＩＰリンクの接続性状態を自動的に確認するための方法およびシステムに関する。
【背景技術】
【０００２】
ＩＰネットワーク上のＩＰリンクの接続性状態を維持することは、遠距離通信ネットワークのＩＰアクセス・インターフェースを含むすべての既存のＩＰ関連製品の中心的な部分である。ＩＰリンクの接続性は、ほとんど自動Ｐｉｎｇ（ＩＣＭＰ（インターネット制御メッセージ・プロトコル）要求および応答）によって行われる。
【０００３】
具体的には、Ｐｉｎｇユーティリティは、コンピュータが動作しているかどうか、またコンピュータへのＩＰリンクがうまく機能しているかどうかを調べるために使用されるシステム・ツールである。ＰｉｎｇはＩＣＭＰエコー機能を使用する。すなわちＰｉｎｇは、ターゲット・コンピュータからＩＣＭＰ  ＥＣＨＯ＿ＲＥＳＰＯＮＳＥを導き出すために、ＩＣＭＰプロトコルのＥＣＨＯ＿ＲＥＱＵＥＳＴデータグラムを使用する。少量のパケットは、ＩＰリンクを通じて特定のターゲット・コンピュータのＩＰアドレスに送信される。パケットを送信したコンピュータは、返信パケットを待つ（または「聞く」）。ＩＰリンクが良好であり、ターゲット・コンピュータが立ち上がっていれば、良好な返信パケットが受信されることになる。Ｐｉｎｇはまた、パケットがターゲット・コンピュータに到着して、再び戻ってくるのにかかる時間の長さをユーザに告げることができる。このことに長い時間がかかる場合、何かが誤っている可能性があるということが示される。
【０００４】
一般に、Ｐｉｎｇ要求に全く応答がない場合、そのＩＰリンクの接続性はダウンすることになり、したがってそのＩＰリンク上ではサービスを行うことができない。
【０００５】
したがって、ＩＰリンクを通じてサービスを適切に提供するために、ＩＰリンクの接続性状態はリアルタイムで更新されなければならない。このことは自動Ｐｉｎｇによって行われる。しかしながら、そうするために、一部のベンダーは自動Ｐｉｎｇの速度を非常に高く（例えば、２０ミリ秒当たり１ｐｉｎｇ）設定する。この場合、遠端（ｆａｒ  ｅｎｄ）は、この頻繁にやってくるＰｉｎｇを何らかの違法なＤｏＳ（サービス停止）攻撃とみなす可能性があり、したがってこのＩＰリンク上のすべてのサービスをブロックする可能性がある。
【発明の概要】
【発明が解決しようとする課題】
【０００６】
現在、自動Ｐｉｎｇの速度は、適時にＩＰリンクの接続性状態を更新することと、遠端が戻ってくる承認に対してシステム資源を使いすぎないようにすることとのバランスを見つけるために、手動で変更されることが可能である。
【０００７】
しかしながら自動Ｐｉｎｇの速度が遅すぎる場合、ＩＰリンクの接続性状態は適時に更新されることができない。
【０００８】
一方で自動Ｐｉｎｇの速度が速すぎる場合、遠端は資源を使いすぎ、場合によってはＰｉｎｇをＤｏＳ攻撃とみなして、すべてのサービスを遮断してしまう可能性がある。
【課題を解決するための手段】
【０００９】
本発明は、上述の先行技術における問題を解決するために提案され、本発明の目的は、ＩＰリンクの接続性状態を適時に更新するだけでなく、使用する遠端のシステム資源を最小にし、またＩＰネットワークに対して最小のトラフィックを生成するために、ＩＰネットワーク上のＩＰリンクの接続性状態を自動的に確認するための方法およびシステムを提供することである。
【００１０】
本発明の１つの態様によって、動的な自動ｐｉｎｇ速度でＩＰリンクを通じてＰｉｎｇ要求を自動的に送信することを含む、ＩＰネットワーク上のＩＰリンクの接続性状態を自動的に確認するための方法が提供される。
【００１１】
本発明の別の態様によって、Ｐｉｎｇ要求を作成し、それを動的なｐｉｎｇ速度でＩＰリンクを通じて自動的に送信するように構成されたＰｉｎｇ要求送信ユニットを備える、ＩＰネットワーク上のＩＰリンクの接続性状態を自動的に確認するためのシステムが提供される。
【００１２】
本発明の特徴、利点および目的は、添付の図面と合わせて読まれる以下の本発明の詳細な実施態様から、よりよく理解されるであろう。
【図面の簡単な説明】
【００１３】
【図１】本発明の実施形態によるＩＰネットワーク上のＩＰリンクの接続性状態を自動的に確認するための方法の流れ図である。
【図２】時間によるＩＰリンクのリンク・ダウンの可能性の変化を示す例示的な統計図である。
【図３】本発明の実施形態によるＩＰネットワーク上のＩＰリンクの接続性状態を自動的に確認するためのシステムの概略のブロック図である。
【発明を実施するための形態】
【００１４】
本発明の主要な概念は、Ｐｉｎｇ要求が自動的に送信される自動ｐｉｎｇ速度が、以下の２つの規則によって設定されるということである。
１．リンク・ダウンの可能性の統計値によって、異なる期間に対して異なる自動ｐｉｎｇ速度を自動的に設定する。すなわち、リンク・ダウンの可能性が高い期間には、自動ｐｉｎｇ速度はより高い値に設定され、一方でリンク・ダウンの可能性が低い期間には、自動ｐｉｎｇ速度はより低い値に設定される。
２．現在のＩＰリンク状態によって自動ｐｉｎｇ速度を設定する。すなわち、現在のＩＰリンクがアップしている場合、Ｐｉｎｇ要求がより低い速度で送信され、一方で遠端が応答しない場合、すなわちＩＰリンクがダウンしている場合、Ｐｉｎｇ要求はリンクが再びアップになるまで、より高い速度で送信される。
【００１５】
次に、図面を参照して本発明の好ましい実施形態を詳細に説明する。
【００１６】
図１は、本発明の実施形態によるＩＰネットワーク上のＩＰリンクの接続性状態を自動的に確認するための方法の流れ図を示す。
【００１７】
図１に示されているように、最初にステップ１０５で、ＩＰリンクのリンク・ダウンの可能性が互いに異なる期間が、統計値によって判定される。
【００１８】
図２は、時間によるＩＰリンクのリンク・ダウンの可能性の変化を示す例示的な統計図である。図２からわかるように、ＩＰリンクのリンク・ダウンの可能性は２４時間、すなわち１日で時間によって異なる。リンク・ダウンの可能性のピークは、ＩＰネットワークが通常盛んに使用される仕事時間中に生じ、その他の時間には、リンク・ダウンの可能性は比較的低い。例えば、ポイントＡではリンク・ダウンの可能性は非常に高いが、ポイントＢではリンク・ダウンの可能性は低い。
【００１９】
したがって、このステップで、１日は、図２のものと同様のＩＰリンクのリンク・ダウンの可能性の統計値によって、ＩＰリンクのリンク・ダウンの可能性が互いに異なる複数の期間に分割される。
【００２０】
次にステップ１１０で、動的な自動ｐｉｎｇ速度は、リンク・ダウンの可能性の統計値によって異なる期間中に設定される。すなわち複数の異なる期間に対して、異なる自動ｐｉｎｇ速度がリンク・ダウンの可能性の統計値によって設定される。
【００２１】
具体的には、このステップで、ステップ１０５で判定された異なる期間の各々に対して、自動ｐｉｎｇ速度は、図２のものと同様の統計値から判定された期間におけるリンク・ダウンの可能性によって設定される。すなわち、ＩＰリンクのリンク・ダウンの可能性が統計値による期間において高い場合には、それに対してより高い自動ｐｉｎｇ速度が設定され、ＩＰリンクのリンク・ダウンの可能性が統計値による期間において低い場合には、それに対してより低い自動ｐｉｎｇ速度が設定される。
【００２２】
例えば、図２のリンク・ダウンの可能性の統計値によれば、ポイントＡではリンク・ダウンの可能性が非常に高く、したがってポイントＡを含む期間の自動ｐｉｎｇ速度はより高い値に設定される。しかしながら、ポイントＢではリンク・ダウンの可能性は低く、したがってポイントＢを含む期間の自動ｐｉｎｇ速度はより低い値に設定される。
【００２３】
すなわち、このステップで、ＩＰリンクのリンク・ダウンの可能性の統計値によって、ＩＰリンクのリンク・ダウンの可能性が高い期間に対して、それぞれより高い自動ｐｉｎｇ速度が設定され、ＩＰリンクのリンク・ダウンの可能性が低い期間に対して、それぞれより低い自動ｐｉｎｇ速度が設定される。
【００２４】
次いでステップ１１５で、現在の確認プロセス中に、現在の期間および、それに対してステップ１１０で設定された自動ｐｉｎｇ速度が判定される。
【００２５】
ステップ１２０で、Ｐｉｎｇ要求が作成され、判定された自動ｐｉｎｇ速度でＩＰリンクを通じて自動的に送信される。
【００２６】
ステップ１２５で、期間中、ＩＰリンクの現在の接続性状態が以前のＰｉｎｇ要求の送信に基づいて判定される。
【００２７】
具体的には、このステップで、ＩＰリンクがダウンしているかどうか、すなわちＩＰリンクの遠端が以前に送信されたＰｉｎｇ要求に応答しないのかどうかが判定される。ＩＰリンクの遠端が以前に送信されたＰｉｎｇ要求に応答しないのであれば、ＩＰリンクがダウンしていることが示され、プロセスは自動ｐｉｎｇ速度を再設定するためにステップ１３０へ進み、応答するのであれば、現在の自動ｐｉｎｇ速度を変更することなく、続けて現在の自動ｐｉｎｇ速度でＰｉｎｇ要求を送信するためにステップ１１５に戻る。
【００２８】
ステップ１３０で、自動ｐｉｎｇ速度はＩＰリンクの現在の接続性状態によって、動的により高い値に設定される。すなわちこの実施形態では、ＩＰリンクのリンク・ダウンの可能性の統計値の他に、自動ｐｉｎｇ速度もまたＩＰリンクの現在の接続性状態によって動的に設定される。
【００２９】
したがって、このステップで、ステップ１２５の判定によればＩＰリンクがダウンしていることから、ＩＰリンクが再びアップになるまで引き続きＰｉｎｇ要求をより高い速度で送信するために、より高い自動ｐｉｎｇ速度が設定される。次いで、プロセスはＰｉｎｇ要求を作成し、ステップ１３０で新たに設定されたより高い自動ｐｉｎｇ速度で送信するために、ステップ１２０に戻る。
【００３０】
さらに上記の実施形態では、ステップ１２５の判定ステップによって、ＩＰリンクがダウンしていない、すなわち通常に動作している場合、自動ｐｉｎｇ速度は変更されないが、これは単に例示的なものである。ステップ１２５で現在の期間においてＩＰリンクが通常に動作していると判定される場合、ステップ１１５で判定される現在の期間の自動ｐｉｎｇ速度が、上述の２つの規則を組み合わせて現在の期間のために最適な自動ｐｉｎｇ速度を見つけるために、現在の期間のリンク・ダウンの可能性およびＩＰリンクの現在の接続性状態によって、より低い値に調節されることもまた可能である。
【００３１】
さらに、自動ｐｉｎｇ速度は、上記の実施形態ではＩＰリンクのリンク・ダウンの可能性の統計値とＩＰリンクの現在の接続性状態との両方に基づいて設定されるが、本発明がこれに限定されるわけではないことに留意されたい。その他の実施形態では、自動ｐｉｎｇ速度がＩＰリンクのリンク・ダウンの可能性の統計値だけによって、またはＩＰリンクの現在の接続性状態だけによって設定されることもまた可能である。
【００３２】
具体的には、自動ｐｉｎｇ速度がＩＰリンクのリンク・ダウンの可能性の統計値だけによって設定される場合、ＩＰリンクのリンク・ダウンの可能性が高い期間に対しては、それぞれより高い自動ｐｉｎｇ速度が設定され、ＩＰリンクのリンク・ダウンの可能性が低い期間に対しては、それぞれより低い自動ｐｉｎｇ速度が設定される。
【００３３】
一方、自動ｐｉｎｇ速度がＩＰリンクの現在の接続性状態だけによって設定される場合、ＩＰリンクが再びアップするまで、ＩＰリンクがダウンしている期間に対しては、それぞれより高い自動ｐｉｎｇ速度が設定され、ＩＰリンクが通常に動作している期間に対しては、それぞれより低い自動ｐｉｎｇ速度が設定される。
【００３４】
以上は、本発明の実施形態によるＩＰネットワーク上のＩＰリンクの接続性状態を自動的に確認するための方法の説明である。上の説明から、任意の状況で任意の時に同じ速度でＰｉｎｇ要求を送信する代わりに、本実施形態による方法では、Ｐｉｎｇ要求は最良の結果を得ながら消費する資源を少なくするために、ＩＰリンクのリンク・ダウンの可能性の統計値およびＩＰリンクの現在の接続性状態による動的な自動ｐｉｎｇ速度で送信されることが可能なことがわかる。具体的には、本方法を使用することによって、以下の利点が達成されることが可能である。
・約５０％のＩＰネットワークへのＰｉｎｇトラフィックが保存されることが可能なので、信号およびベアラのためにさらなる帯域幅が使用されなくて済む。
・それらのＩＣＭＰ要求に応答するためのＩＰリンクの遠端のＩＰインターフェースの５０％のシステム資源は保存されることが可能である。
・遠端の中で「過剰ＩＣＭＰ要求」警告が生じることはない。
・もはやＰｉｎｇ要求が遠端によってＤｏＳ攻撃とみなされることはない。
【００３５】
同じ発明の概念のもとで、図３は、本発明の実施形態によるＩＰネットワーク上のＩＰリンクの接続性状態を自動的に確認するためのシステムの概略のブロック図を示す。
【００３６】
図３に示されているように、システム３００は、Ｐｉｎｇ要求を作成し、それを動的な自動ｐｉｎｇ速度でＩＰリンクを通じて自動的に送信するように構成されたＰｉｎｇ要求送信ユニット３０１を備える。
【００３７】
またシステム３００は、動的な自動ｐｉｎｇ速度を設定するように構成されたｐｉｎｇ速度設定ユニット３０２をさらに備えることができる。
【００３８】
またシステム３００は、ＩＰリンクの遠端からＰｉｎｇ要求送信ユニット３０１によって以前に送信されたＰｉｎｇ要求への応答を受信し、以前のＰｉｎｇ要求の送信に基づいてＩＰリンクの現在の接続性状態を判定するように構成された現接続性状態判定ユニット３０３をさらに備えることができる。
【００３９】
より具体的には、ｐｉｎｇ速度設定ユニット３０２は、ＩＰリンクのリンク・ダウンの可能性の統計値によって動的自動ｐｉｎｇ速度を設定する。ＩＰリンクのリンク・ダウンの可能性の統計値は、図２の統計値と同様のものである。
【００４０】
具体的には、ｐｉｎｇ速度設定ユニット３０２は、ＩＰリンクのリンク・ダウンの可能性の統計値によって、ＩＰリンクのリンク・ダウンの可能性が互いに異なる複数の期間を判定する。次いでｐｉｎｇ速度設定ユニット３０２はその異なる期間に対して、異なる自動ｐｉｎｇ速度を設定する。具体的には、ｐｉｎｇ速度設定ユニット３０２は、ＩＰリンクのリンク・ダウンの可能性の統計値によって、ＩＰリンクのリンク・ダウンの可能性が高い期間に対しては、より高い自動ｐｉｎｇ速度を設定し、ＩＰリンクのリンク・ダウンの可能性が低い期間に対しては、より低い自動ｐｉｎｇ速度を設定する。
【００４１】
またｐｉｎｇ速度設定ユニット３０２はさらに、現接続性状態判定ユニット３０３によって判定された現在の接続性状態によって、動的自動ｐｉｎｇ速度を設定する。
【００４２】
具体的には、異なる期間の各々の中で、現接続性状態判定ユニット３０３は、ＩＰリンクがダウンしているかどうか、すなわち遠端がＰｉｎｇ要求に応答しないかどうかを調べるために、ＩＰリンクの遠端からＰｉｎｇ要求送信ユニット３０１によって以前に送信されたＰｉｎｇ要求への応答を続けて受信し、次いでＩＰリンクの現在の接続性状態を判定する。次いで、現接続性状態判定ユニット３０３は、ＩＰリンクの現在の接続性状態をｐｉｎｇ速度設定ユニット３０２に知らせる。
【００４３】
ｐｉｎｇ速度設定ユニット３０２は、現接続性状態判定ユニット３０３によって知らされたＩＰリンクの現在の接続性状態によって、ＩＰリンクがダウンしているのであれば、より高い自動ｐｉｎｇ速度を設定する。
【００４４】
代替実施形態では、ｐｉｎｇ速度設定ユニット３０２はまた、現接続性状態判定ユニット３０３によって知らされたＩＰリンクの現在の接続性状態によって、上述の２つの規則を組み合わせて現在の期間のために最適な自動ｐｉｎｇ速度を見つけるために、ＩＰリンクが通常に動作しているのであれば、現在の期間のリンク・ダウンの可能性およびＩＰリンクの現在の接続性状態によって、現在の自動ｐｉｎｇ速度をより低い値に調節する。
【００４５】
次いで、Ｐｉｎｇ要求送信ユニット３０１はＰｉｎｇ要求を作成し、それをｐｉｎｇ速度設定ユニット３０２によって設定された自動ｐｉｎｇ速度でＩＰリンクを通じて自動的に送信する。
【００４６】
自動ｐｉｎｇ速度は、上記の実施形態ではＩＰリンクのリンク・ダウンの可能性の統計値とＩＰリンクの現在の接続性状態との両方によって設定されるが、本発明がこれに限定されるわけではないことに留意されたい。
【００４７】
代替実施形態では、システム３００は現接続性状態判定ユニット３０３を備えなくてもよく、ｐｉｎｇ速度設定ユニット３０２が、ＩＰリンクのリンク・ダウンの可能性の統計値だけによって動的自動ｐｉｎｇ速度を設定してもよい。すなわち、ｐｉｎｇ速度設定ユニット３０２は、統計値に基づいて、ＩＰリンクのリンク・ダウンの可能性が高い期間に対しては、より高い自動ｐｉｎｇ速度を設定し、ＩＰリンクのリンク・ダウンの可能性が低い期間に対しては、より低い自動ｐｉｎｇ速度を設定する。
【００４８】
他の実施形態では、ｐｉｎｇ速度設定ユニット３０２は、現接続性状態判定ユニット３０３によって判定された現在の接続性状態だけによって、動的自動ｐｉｎｇ速度を設定してもよい。すなわち、ｐｉｎｇ速度設定ユニット３０２は現在の接続性状態によって、ＩＰリンクがダウンしている期間に対しては、より高い自動ｐｉｎｇ速度を設定し、ＩＰリンクが通常に動作している期間に対しては、より低い自動ｐｉｎｇ速度を設定する。
【００４９】
システム３００およびそれらの構成要素は、専用に設計された回路もしくはチップによって実装されるか、または対応するプログラムを実行するコンピューティング・デバイス（情報処理デバイス）によって実装されることが可能であることが理解されよう。さらにシステム３００の各々の構成要素は、物理的には独立しているが、動作上協同してもよい。
【００５０】
以上は、本発明の実施形態によるＩＰネットワーク上のＩＰリンクの接続性状態を自動的に確認するためのシステムの説明である。上の説明から、任意の状況で任意の時に同じ速度でＰｉｎｇ要求を送信する代わりに、このシステムは最良の結果を得ながら消費する資源を少なくするために、ＩＰリンクのリンク・ダウンの可能性の統計値およびＩＰリンクの現在の接続性状態による動的な自動ｐｉｎｇ速度で、自動的にＰｉｎｇ要求を送信するということがわかる。具体的には、このシステムを使用することによって、以下の利点が達成されることが可能である。
・約５０％のＩＰネットワークへのＰｉｎｇトラフィックが保存されることが可能なので、信号およびベアラのためにさらなる帯域幅が使用されなくて済む。
・それらのＩＣＭＰ要求に応答するためのＩＰリンクの遠端のＩＰインターフェースの５０％のシステム資源は保存されることが可能である。
・遠端の中で「過剰ＩＣＭＰ要求」警告が生じることはない。
・もはやＰｉｎｇ要求が遠端によってＤｏＳ攻撃とみなされることはない。
【００５１】
本発明のＩＰネットワーク上のＩＰリンクの接続性状態を確認するための方法およびシステムが、いくつかの例示的な実施形態とともに詳細に説明されてきたが、これらの実施形態は網羅的なものではなく、当業者であれば、本発明の精神および範囲内でさまざまな変形形態および修正形態を作成することができる。したがって、本発明がこれらの実施形態に限定されることはなく、本発明の範囲は添付の特許請求の範囲によってのみ定義される。
【図１】
2010538551.tif 000003
【図２】
2010538551.tif 000004
【図３】
2010538551.tif 000005
【国際調査報告】
2010538551.tif 000006
2010538551.tif 000007